(57)【要約】【課題】本発明が解決しようとする問題点は、人体特に腰部のマッサージに適しており、利用に際して痛みを感じさせたり、衣類を巻き込んでしまうことのないマッサージ具、及び、これを備えたベッドを提供することである。【解決手段】  一対のベース板１の間には複数のローラ軸２が架設されており、前記ローラ軸２の各々には複数の球状ローラ３が回転可能に取り付けられており、前記複数のローラ軸２が架設された前記ベース板１を回転させる回転手段を有するとともに、前記球状ローラ３は隣接するローラ軸２毎に位置を異ならせて取り付けられている。【選択図】図１
2009247552.tif 000002
【特許請求の範囲】
【請求項１】
複数のローラを備えたマッサージ具であって、
（１）一対のベース板の間に架設された複数のローラ軸と、
（２）前記ローラ軸の各々に回転可能に取り付けられた複数の球状ローラと、
（３）複数のローラ軸が架設された前記ベース板を回転させる回転手段とからなり、
（４）前記球状ローラは隣接するローラ軸毎に位置を異ならせて取り付けられている、
ことを特徴とするマッサージ具。
【請求項２】
前記球状ローラは天然石であることを特徴とする請求項１に記載のマッサージ具。
【請求項３】
前記ローラ軸には前記球状ローラを温めるための加熱手段が設けてあることを特徴とする請求項１又は請求項２に記載のマッサージ具。
【請求項４】
請求項１乃至請求項３のいずれかに記載のマッサージ具を備えたことを特徴とするベッド。
【請求項５】
請求項１乃至請求項３のいずれかに記載のマッサージ具を複数備えたことを特徴とする請求項４に記載のベッド。
【発明の詳細な説明】
【技術分野】
【０００１】
本発明は、各種のマッサージ装置や設備に利用可能なマッサージ具、及び、これを備えたベッドであり、娯楽から医療に至るあらゆるマッサージの分野に関連する。
【背景技術】
【０００２】
マッサージ師や整体師といった技術者の手に拠らず、機械的に身体を按摩するマッサージ椅子が古くから知られているが、昨今のリラクゼーション・ブームにより、各種メーカーから様々のマッサージ椅子が供給されている。それらの多くは、所謂「揉み玉」を技術者の手に倣って揺動させ、利用者の肩部から腰部まで揉み解したり叩いたりし、また、ふくらはぎを揉み解すことなどを内容とするものであるが、人によっては痛みを感じたり、却って筋肉の凝りを増してしまうなどの弊害もあった。
【０００３】
また、昨今の高齢化により、ぎっくり腰や椎間板ヘルニアなど腰部に問題を抱える人が激増しているが、前記したような従来型のマッサージ椅子は全身の按摩を目的としたものであり、また、揉み玉の形状や構造から腰部を中心としたマッサージには適していなかった。特に、腰部の病気では、整形外科での治療がそうであるように、椅子に座した体勢よりも、ベッドに仰臥した体勢でマッサージを受けるのが最も自然であり、且つ、望ましい。
【０００４】
この点を考慮して、最近では特開２００２−３５０７２号や実用新案登録第３０７６８８７号の公報に記されるベッド状のマッサージ装置やマッサージベッドが開発されている。しかしながら、これらの先行技術では、移動するローラが常に人体の同一部分に当たるため、利用に際して痛みを感じることが多く、また、ローラが取り付けられている台座は回転するものの、ローラ自体は回転しない構造であるため、人体に当たる部分が外装体やマットで被覆されているとはいえ、長期の利用によりこれらが擦り切れてしまう問題があった。
【０００５】
また、これら従来のマッサージ装置は、ローラ自体が回転しないことで、その台座の回転や上下方向への移動により利用者の肌や衣類を巻き込んでしまうため、到底、人体に直接接触させての利用は不可能であった。
【特許文献１】特開２００２−３５０７２号公報
【特許文献１】実用新案登録第３０７６８８７号公報
【発明の開示】
【発明が解決しようとする課題】
【０００６】
本発明が解決しようとする問題点は、人体特に腰部のマッサージに適しており、利用に際して痛みを感じさせたり、衣類を巻き込んでしまうことのないマッサージ具、及び、これを備えたベッドを提供することである。
【課題を解決するための手段】
【０００７】
本発明は、上記の課題を解決するため、以下の構成を採用した点を特徴とする。
【０００８】
先ず、請求項１の発明は、複数のローラを備えたマッサージ具であって、（１）一対のベース板の間に架設された複数のローラ軸と、（２）前記ローラ軸の各々に回転可能に取り付けられた複数の球状ローラと、（３）複数のローラ軸が架設された前記ベース板を回転させる回転手段とからなり、（４）前記球状ローラは隣接するローラ軸毎に位置を異ならせて取り付けられている、ことを特徴とするマッサージ具である。
【０００９】
次に、請求項２の発明は、請求項１に記載の発明であって、前記球状ローラは天然石であることを特徴とするマッサージ具である。
【００１０】
次に、請求項３の発明は、請求項1又は請求項２に記載の発明であって、前記ローラ軸には前記球状ローラを温めるための加熱手段が設けてあることを特徴とするマッサージ具である。
【００１１】
次に、請求項4の発明は、請求項１乃至請求項３のいずれかに記載のマッサージ具を備えたことを特徴とするベッドである。
【００１２】
最後に、請求項５の発明は、請求項４に記載の発明であって、請求項１乃至請求項３のいずれかに記載のマッサージ具を複数備えたことを特徴とするベッドである。
【発明の効果】
【００１３】
本発明に係るマッサージ具は、ローラ軸が架設されたベース板が回転するだけでなく、ローラ軸上の球状ローラ自体も回転し、ベース板の回転に伴って利用者の肌や衣類を巻き込んでしまうことがないため、外装材で被覆することなく、球状ローラを直接人体に接触させて利用することができる。
【００１４】
本発明に係るマッサージ具は、球状ローラが隣接するローラ軸毎に位置を異ならせて取り付けられており、ベース板の回転により球状ローラの頂部が人体の同一部分を連続して押圧することがないため、長時間にわたって利用しても痛みを感ずることがない。
【００１５】
本発明に係るマッサージ具は、球状ローラに天然石を用いることで遠赤外線効果を得ることができる。また、ゲルマニウムなどの鉱石を用いることで、マッサージ効果に加え、新陳代謝を促進し、疲れを除去するなどの効果も得られる。
【００１６】
本発明に係るマッサージ具は、ローラ軸を加熱手段で加熱することで球状ローラが温められるため、利用者が冷涼感を抱くことなく利用できるほか、特に球状ローラに天然石を使用した場合、遠赤外線の効果がより高められ、音湿布効果や発汗促進効果を高めることができる。
【００１７】
本発明に係るマッサージ具を備えたベッドは、腰痛の治療に相応しい仰臥した体勢で前記効果を受けられるというメリットがあり、また、前記マッサージ具を複数備えることで、要所から全身に至る部位のマッサージを仰臥状態で受けることもできる。
【発明を実施するための最良の形態】
【００１８】
以下、本発明に係るマッサージ具及びこれを備えたベッドの構成を、図面に基づいて説明する。
図1は架設した複数のローラ軸上に複数の球状ローラを取り付けたベース板の斜視図、図２は図１のベース板と回転手段の配置を示す本発明の実施図、図３はローラ軸に加熱手段を設けた状態を示す参考図、図４はマッサージ具を取り付ける溝部を設けたベッドの斜視図、図５はマッサージ具を溝部に取り付けた状態のベッドの側部断面拡大図、図６はマッサージ具を取り付けるための複数の溝部を設けたベッドの斜視図である。１はベース板、２はローラ軸、３は球状ローラ、３ａ〜３ｃは変形球状ローラ、４は主軸、５は第１のギア、６はモーター、７は駆動軸、８は第２のギア、９はチェーンベルト、１０は電熱線、１１はベッド、１２は溝部、１３は溝部、１４は溝部、１５はリモコンである。
【実施例１】
【００１９】
図１は、本発明に係るマッサージ具に用いられる構成要素の構造を示すものであり、一対のベース板１の間には複数のローラ軸２が架設されており、ローラ軸２の各々には複数の球状ローラ３が回転可能に取り付けられている。球状ローラ３は、図２に関して後述するように、変形球状ローラ３ａ〜３ｃを除き、ほぼ球状であり、その中心部をローラ軸２が貫通する態様で、ローラ軸２上に回転自在に取り付けられている。球状ローラ３はマッサージに適した固さを有するものであれば、その材質は問わないが、後述するように、ゲルマニウムなどの天然石を球状に研磨したものの採用が望ましい。このように、本発明では球状ローラ３自体がローラ軸２上で回転するため、利用者の衣類や皮膚を巻き込むことがなく、安心して利用することができる。
【００２０】
図２は、前記した構成要素を含む本発明に係るマッサージ具の実施例を示すものであり、一対のベース板１を支持する主軸４と、該主軸４に連結された第１のギア５とが設けられており、また、これと隣接する部位にモーター６が配置されており、その駆動軸７に連結された第２のギア８とが設けられている。そうして、モーター６の駆動により主軸４に支持されるベース板１が回転し得るよう、チェーンベルト９が図中の矢印が示すように、第１のギア５と第２のギア８に架設されている。なお、ベース板１を回転させるための回転手段については、チェーンベルト９を用いずに第１のギア５と第２のギア７とを直接噛み合わせたり、主軸４とモーター６の駆動軸７とをダイレクトに直結させたり、或いは、これらを一体化してもよく、必ずしも図示したものに限定されない。
【００２１】
ローラ軸２上に取り付けられる球状ローラ３は、図示したように、隣接するローラ軸毎に位置を異ならせて取り付けられており、それにより、ベース板１が主軸４を中心に回転した際に、球状ローラ３の頂部が利用者の人体の同一部分を連続して押圧しないため、痛みが無く、長時間にわたって心地よくマッサージを受けることができる。図示した実施例では、隣接するローラ軸毎に取り付ける球状ローラの位置を異ならせるため、ほぼ半球の幅員を有する変形球状ローラ３ａ〜３ｃを用いている。図中の上部ローラ軸には両サイドに変形球状ローラ３ａを配置し、中間部ローラ軸には中央寄りに変形球状ローラ３ｂを配置し、下部ローラ軸には両サイドに変形球状ローラ３ｃを配置することで、回転により球状ローラ３の頂部が人体の同一位置に連続して接触しないようになっている。上記の結果、図示した実施例では、隣接するローラ軸毎に半球分ずつ位置をずらせた球状ローラの頂部が、互い違いに人体に接することになるため、痛みを感ずることなく、心地よくマッサージを受けられる。しかしながら、隣接するローラ軸上の球状ローラの頂部が同一位置で連続しないものであれば良く、必ずしも図示したものに限定されない。
【実施例２】
【００２２】
本発明で用いる球状ローラ３は前記したように、マッサージを行うに適した固さがあればその材質は問わないが、天然石なかでもゲルマニウムなどの鉱石は、身に付けるだけで新陳代謝を促進し、疲労を和らげる効果があると言われている。また、天然石はそれを温めることで顕著な遠赤外線効果を生ずることが知られているが、後述するように、ローラ軸２に加熱手段を設けた構成とし、積極的に球状ローラ３を温めることで、その効果をより一層高めることができる。また、それにより接触時に冷涼感を感ずることがないため、冬場でも安心して利用することができる。
【実施例３】
【００２３】
図３は、本発明に係るマッサージ具の別の実施例を示すものであり、ローラ軸２には電源Ｅと電熱線１０とからなる加熱手段が設けられている。電熱線１０は各々のローラ軸３と連結されており、電源ＥのＯＮ−ＯＦＦにより電力の供給・非供給が行えるようになっている。電源ＥをＯＮにすることで電熱線が温められ、これが連結されたローラ軸２を加熱するため、ローラ軸２上の球状ローラ３が温められることになる。なお、ローラ軸２の加熱手段については、必ずしも図示したものに限られず、ベース板１に導熱板を用いてこれを温め、それとの接触によりローラ軸２が温められるようにしても良い。このような構成とすることで、球状ローラ３に天然石を用いた場合、温められた球状ローラ３により顕著な遠赤外線効果が得られる。また、電源ＥのＯＮ−ＯＦＦは備え付けのリモコンなどで操作できるようにすることが望ましい。
【００２４】
このように構成された実施例１乃至実施例３のマッサージ具は、それ自体を小型の筐体に組み込んでマッサージ装置として利用できるほか、後述するように、ベッドに備え付けたり、椅子に備え付けるなどして、様々な家具と一体化したパッケージ製品としても利用することができる。事実、実施例１乃至実施例３のマッサージ具を小型化したハンディタイプのマッサージ装置の商品化も予定されている。その際は、後述するリモコン１５と同等の機能を有する各種スイッチが筐体上に設けられる。
【実施例４】
【００２５】
図4は、本発明に係るマッサージ具を備えたベッドの実施例を示すものであり、ベッド１１には、人体が仰臥した状態で、マッサージを施したいと希望する箇所に溝部１２が形成されており、その内部に実施例1乃至実施例３のマッサージ具を配備する構成となっている。そのため、マッサージ具が配備されたベッド１１の裏側若しくは内部には、図５に示すように、前記したモーター６やその第２のギア８と第１のギア５とに架設されるチェーンベルト９からなる回転手段、更には、ローラ軸２と連結する加熱手段などが設けられている。図示した実施例では、腰部のマッサージを行うためのマッサージ具を備えたベッドであるため、溝部１２がベッド１１のほぼ中心付近に形成されているが、マッサージを施す部分が肩部や腿部などであるベッドの場合は、それに適した箇所に溝部１２が形成されることになる。
【００２６】
なお、ベッド１１の溝部１２に配備されたマッサージ具は、図５に示すように、ベース板１の回転により、各ローラ軸２上の球状ローラ３がベッド１１の上部平面よりも僅かに突出するよう、溝部１２の内部に取り付けられている。それにより、ベッド１１上に仰臥した利用者の腰部に、突出した球状ローラ３の頂部周辺が接触・押圧し、その回転により腰部をマッサージすることになる。その際も、球状ローラ３がローラ軸２上で回転するため、仰臥により球状ローラ３の頂部周辺に利用者の体重が掛かっても、球状ローラ３が肌や衣服を巻き込んでしまうことがなく、安心して利用することができる。
【実施例５】
【００２７】
図６は、本発明に係るマッサージ具を備えたベッドの実施例を示すものであり、ベッド１１には、複数の箇所に溝部１２乃至１４が形成されており、仰臥した人体の複数の部分をマッサージできるようになっている。溝部１２乃至１４の各々には、実施例１乃至実施例３のマッサージ具が前記したと同様の態様で配備されており、各球状ローラ３が人体の様々の部分をマッサージすることになる。図示した実施例では、溝部１２に配備された球状ローラは腰部を、溝部１３に配備された球状ローラは肩部を、また、溝部１４に配備された球状ローラは腿部を、それぞれマッサージするものであるが、その他腕部やふくらはぎなど、所望とする箇所にマッサージ具を設けても良い。
【００２８】
なお、マッサージ具を複数配備したベッドであるか否かに拘らず、ベース板１を回転させるモーター６のＯＮ−ＯＦＦやその回転速度、更には、前記した加熱手段の電源のＯＮ−ＯＦＦなどを、ベッド１１に備え付けのリモコン１５で操作できるようにすることで、利用者はベッド１１上に仰臥したままの状態で操作・制御することができる。
【００２９】
次に、本発明を利用する手順を説明する。前記したように、本発明に係るマッサージ具は小型の筐体に組み込むことで、それ自体をマッサージ装置として利用することができるが、ここでは特に、前記マッサージ具をベッドに備え付けたケースを、図４及び図６に基づいて説明する。
【００３０】
ベッド１１には図４又は図６に示すように、単数又は複数の溝部１２〜１４が形成されており、その各々に前記したマッサージ具が配備されている。利用者はベッド１１上に仰臥し、図４のベッドであれば腰部が球状ローラに当たるよう、図６のベッドであれば肩部と腰部及び腿部が対応する球状ローラに当たるよう、身体の位置を調整する。調整が完了したら、リモコン１５を操作してモーター６の電源をＯＮにし、その駆動により各溝部１２〜１４のマッサージ具のベース板１を回転させる。すると、複数のローラ軸２に取り付けられた球状ローラ３が回転により、順次、利用者の患部をマッサージすることになる。その際、隣接するローラ軸２毎に球状ローラ３の取り付け位置が異ならせてあり、球状ローラ３の頂部が連続して人体の同一部位と接触しないため、当たりがソフトになり、利用者は痛さや違和感を感ずることなくマッサージを受けることができる。更に、球状ローラ３自体もローラ軸２上で回転するため、接触した利用者の肌や衣服を球状ローラ３が巻き込んでしまうことがない。加えて、球状ローラ３にゲルマニウムなどの天然石を用いた場合は、利用者はその効果効能も併せて受けることができるほか、加熱装置により球状ローラ３を温めた場合は、遠赤外線効果により音湿布効果や発汗を促すこともできる。なお、腰部その他の部位だけマッサージを希望する場合は、対応する溝部１２に配備されるモーター６だけをＯＮにすることもできる。また、冬場であるために、球状ローラ３との接触で冷涼感を抱く場合は、リモコン１５を操作して過熱手段の電源ＥをＯＮにしてローラ軸を加熱することで、ローラ軸上に取り付けられた各球状ローラを温めればよい。かくして、マッサージが終了したら、リモコンを操作して全ての電源をＯＦＦにする。
【産業上の利用可能性】
【００３１】
小型の筺体に取付けることでそれ自体をマッサージ具として利用できるほか、ベッドや椅子など様々なパッケージに組み込むことで、インテリアにマッチした家具としても利用することが可能であり、一般家庭はもとより、旅館やホテルなどの娯楽施設、病院・老人ホームなどの医療施設や介護施設などでも利用できる。
【図面の簡単な説明】
【００３２】
【図１】架設した複数のローラ軸上に複数の球状ローラを取り付けたベース板の斜視図である。（実施例１、実施例２）
【図２】図１のベース板と回転手段の配置を示す本発明の実施図である。（実施例１、実施例２）
【図３】ローラ軸に加熱手段を設けた状態を示す参考図である。（実施例３）
【図４】マッサージ具を取り付ける溝部を設けたベッドの斜視図である。（実施例４）
【図５】マッサージ具を溝部に取り付けた状態のベッドの側部断面拡大図である。（実施例４）
【図６】マッサージ具を取り付けるための複数の溝部を設けたベッドの斜視図である。（実施例５）
【符号の説明】
【００３３】
１    ベース板
２    ローラ軸
３    球状ローラ
４    主軸
５    第１のギア
６    モーター
７    駆動軸
８    第２のギア
９    チェーンベルト
１０  電熱線
１１  ベッド
１２  溝部
１３  溝部
１４  溝部
１５  リモコン
【図１】
2009247552.tif 000003
【図２】
2009247552.tif 000004
【図３】
2009247552.tif 000005
【図４】
2009247552.tif 000006
【図５】
2009247552.tif 000007
【図６】
2009247552.tif 000008